(57)【特許請求の範囲】
【請求項１】
一部又は全CoMP（coordinated multipoint transmission and reception）ポイントの組合せを想定して行ったスケジューリングで割り当てたリソースブロックのレートに基づいて、UE（User Equipment）に対してCoMPポイントの数を決定することを特徴とする無線通信システム。
【請求項２】
前記スケジューリングで用いられたスケジューリングに関する情報のランキングを用いて、リソースブロックをUEに割り当てることを特徴とする請求項１に記載の無線通信システム。
【請求項３】
前記割り当てたリソースブロックの合計レートに基づき、前記CoMPポイントの数を決定することを特徴とする請求項２に記載の無線通信システム。
【請求項４】
前記スケジューリングで用いられたスケジューリングに関する情報のランキングに基づき、前記CoMPポイントの数を決定することを特徴とする請求項１に記載の無線通信システム。
【請求項５】
前記決定したCoMPポイントの数に基づき、前記UEにリソースブロックを割り当てることを特徴とする請求項４に記載の無線通信システム。
【請求項６】
前記スケジューリングで用いられたスケジューリングに関する情報のランキングに基づき、CoMPポイントの推定数を決定し、
前記決定したCoMPポイントの推定数に基づき、前記UEにリソースブロックを割り当て、
前記割り当てられたリソースブロックの合計レートに基づき、前記CoMPポイントの数を決定する
ことを特徴とする請求項１に記載の無線通信システム。
【請求項７】
一部又は全CoMP（coordinated multipoint transmission and reception）ポイントの組合せを想定して行ったスケジューリングで割り当てたリソースブロックのレートに基づいて、UE（User Equipment）に対してCoMPポイントの数を決定することを特徴とする基地局。
【請求項８】
前記スケジューリングで用いられたスケジューリングに関係する情報のランキングを用いて、リソースブロックをUEに割り当てることを特徴とする請求項７に記載の基地局。
【請求項９】
前記の割り当てたリソースブロックの合計レートに基づき、前記CoMPポイントの数を決定することを特徴とする請求項８に記載の基地局。
【請求項１０】
前記スケジューリングで用いられたスケジューリングに関する情報のランキングに基づき、前記CoMPポイントの数を決定することを特徴とする請求項７に記載の基地局。
【請求項１１】
前記決定したCoMPポイントの数に基づき、前記UEにリソースブロックを割り当てることを特徴とする請求項１０に記載の基地局。
【請求項１２】
前記スケジューリングで用いられたスケジューリングに関する情報のランキングに基づき、CoMPポイントの推定数を決定し、
前記決定したCoMPポイントの推定数に基づき、前記UEにリソースブロックを割り当て、
前記割り当てられたリソースブロックの合計レートに基づき、前記CoMPポイントの数を決定する
ことを特徴とする請求項７に記載の基地局。
【請求項１３】
基地局が一部又は全CoMP（coordinated multipoint transmission and reception）ポイントの組合せを想定して行ったスケジューリングで割り当てたリソースブロックのレートに基づいて決定したCoMPポイント数を用いて通信することを特徴とするユーザ端末。
【請求項１４】
一部又は全CoMP（coordinated multipoint transmission and reception）ポイントの組合せを想定して行ったスケジューリングで割り当てたリソースブロックのレートに基づいて、ユーザ装置へのCoMPポイント数を決定することを特徴とする調整装置。
【請求項１５】
一部又は全CoMP（coordinated multipoint transmission and reception）ポイントの組合せを想定して行ったスケジューリングで割り当てたリソースブロックのレートに基づいて、UE（User Equipment）に対してCoMPポイントの数を決定することを特徴とする無線通信方法。
【請求項１６】
前記スケジューリングで用いられたスケジューリングに関する情報のランキングを用いて、リソースブロックをUEに割り当てることを特徴とする請求項１５に記載の無線通信方法。
【請求項１７】
前記の割り当てたリソースブロックの合計レートに基づき、前記CoMPポイントの数を決定することを特徴とする請求項１６に記載の無線通信方法。
【請求項１８】
前記スケジューリングで用いられたスケジューリングに関する情報のランキングに基づき、前記CoMPポイントの数を決定することを特徴とする請求項１５に記載の無線通信方法。
【請求項１９】
前記決定したCoMPポイントの数に基づき、前記UEにリソースブロックを割り当てることを特徴とする請求項１８に記載の無線通信方法。
【請求項２０】
前記スケジューリングで用いられたスケジューリングに関する情報のランキングに基づき、CoMPポイントの推定数を決定し、
前記決定したCoMPポイントの推定数に基づき、前記UEにリソースブロックを割り当て、
前記割り当てられたリソースブロックの合計レートに基づき、前記CoMPポイントの数を決定する
ことを特徴とする請求項１５に記載の無線通信方法。
【請求項２１】
一部又は全CoMP（coordinated multipoint transmission and reception）ポイントの組合せを想定して行ったスケジューリングで割り当てたリソースブロックのレートに基づいて、UE（User Equipment）に対してCoMPポイントの数を決定する処理をコンピュータに実行させる通信プログラムを有することを特徴とする記録媒体。
【請求項２２】
基地局が一部又は全CoMP（coordinated multipoint transmission and reception）ポイントの組合せを想定して行ったスケジューリングで割り当てたリソースブロックのレートに基づいて決定したCoMPポイント数を用いて通信する処理をコンピュータに実行させる通信プログラムを有する記憶媒体。
【発明の詳細な説明】
【技術分野】
【０００１】
本開示は、一般的な通信に関し、特にセルラー方式の無線通信におけるCoMP（coordinated multipoint transmission and reception）のCoMPポイントを決定する技術に関する。
【背景技術】
【０００２】
３Ｇセルラーシステムにおける高速無線接続の要求に応えるため、E-UTRA（Evolved Universal Terrestrial Radio Access）が３ＧＰＰ（Third Generation Partnership Project 3）のLTE（Long Term Evolution）無線接続として標準化された。２００８年３月より、３ＧＰＰはIMT-Advancedの標準化をLTE-Advancedとして開始した。LTE-Advancedでは伝送速度を、上りが５００Mbps、下りが１Gbpsを目標としている（非特許文献１）。LTEより高いスペクトル効率も求められている。同時に、LTE-Advancedは、LTEの拡張として開発されたrel.8 LTEとの上位互換性を考慮しなくてはならない。
【０００３】
ダウンリンクCoMPは、セルエッジスループットの改善や３GPP LTE-Advanced（非特許文献２）のためのシステムスループットを増加させるための技術の鍵と考えられる。
【０００４】
図１の１００及び２００は、其々、CoMPを用いない下りリンク（DL）送信（w/o CoMP）及びCoMPを用いた（w/ CoMP）DLの例を表している。図１において、ポイント１（１０１）のみが、UE（User Equipment）１０４に対して送信している。UE１０４は、ポイント１から信号を受信する一方、ポイント２（１０２）及びポイント３（１０３）からは、電波障害を受ける。しかし、２００では、３か所のポイント即ちポイント１（２０１）、ポイント２（２０２）及びポイント３（２０３）は、協調送信をしている。“CoMPポイント”は、eNode-B（eNB）、セルあるいは光ファイバーで接続されたリモートアンテナのような、他のタイプのノードなどのポイントを用いた協調送信も含む（非特許文献３）。“CoMP UE”とは、２つ以上のCoMPポイントを有するUEである。
【０００５】
ダウンリンクCoMPにおけるjoint transmission及びcoordinated scheduling/coordinated beamformingについては、LTE-Advanced の技術候補として合意されている（非特許文献２）。両方の場合において、multiple CoMPポイントはリソースブロック（ＲＢ）を同じスペクトルの位置に配置する。Joint transmissionの場合、multiple CoMPポイントは、データを同時にCoMP UE ２０４に送信する。２００に例示されているように、UE２０４はCoMP UEである。ポイント２（２０２）及びポイント３（２０３）からの電波障害は信号に変換され、CoMP UE ２０４の受信信号を改善する。信号対雑音干渉比（SINR）に関するCoMP利得は、すべてのCoMP、即ちポイント１（２０１）、ポイント２（２０２）及びポイント３（２０３）ポイントのダイバーシティ利得に由来する。しかし、coordinated schedulingの場合、CoMPポイント１（２０１）だけがデータをCoMP UE２０４ に送信し、CoMP ポイント２（２０２）と３（２０３）からの電波障害はキャンセルされる。SINRに関するCoMP利得は、CoMPポイント２（２０２）と３（２０３）の電波障害回避に由来する。
【０００６】
どのようにCoMPポイントを選ぶかは、セルエッジにいるユーザのスループット及びセクターの平均スループットの観点からCoMP利得に大きなインパクトを与える。CoMP利得は、CoMPポイントが適切に選ばれず、協調制御において考えうる強い受信信号を考慮しなかったり、調整されたスケジューリングにおいて強い電波干渉を和らげることができなかった場合、制限を受けることがある。
【０００７】
CoMPポイントを選定する一般的な方法は、固定CoMPポイントを用い、チャネル依存スケジューリングのためのPFメトリック（proportional fairness metric）を算出しランク付けするものである。例えば、図２には、下記に述べられているように、スケジューラの中で行われる一般的な方法のフローチャートを図解している。
【０００８】
ステップ１では、スケジューラはUEからのフィードバックを受信する。UEからのフィードバックは、非特許文献３で使われている基準信号受信電力（RSRP）或いは非特許文献４のジオメトリなどのUEが測定した長期平均チャネル情報を含んでいる。RSRPは、検討したセルについて、測定周波数帯域におけるセル固有の基準信号を運ぶリソースの寄与電力[W]の線形平均として決定される。ジオメトリは、シャドーイング及びパスロスが存在する下での平均的な信号対雑音干渉比（SINR）である。
【０００９】
上記に加え、UEフィードバックはチャネル品質指標（ＣＱＩ）も含んでいる。このＣＱＩは、帯域幅におけるチャネル状態の変動、またＲＳ帯域幅における各ＲＢに関して測定したチャネル状態を示すことに用いられている。例えば、LTEにおいては、フィードバック時間は１２０〜２００ms位であり（非特許文献５）、ＣＱＩへのフィードバック時間は２ms、５ms、１０msなどとなる（非特許文献６）。
【００１０】
ステップ２では、セル（または、その他のタイプのポイント）のランク付けを各UEについて実行する。各UEに対して、セル（ポイント）を、以下のようにランク付けする。
0005447893.tif 000002
ここでXm,δは、ステップ１で取得したｍ番目のUEにおけるδ番目のセルのセルでのフィードバックのRSRPもしくはジオメトリである。
【００１１】
ステップ３では、CoMPポイントの候補がUE毎に選択され、２つ以上のCoMPポイント候補を有するUEは、CoMP UE候補とする。
ｍ番目のUEに対し、最高のXm,δを有するポイントがサービングセルとして選択され、サービングセルは、常にCoMPポイントとなる。サービングセルに加えて、
0005447893.tif 000003
であるセルもまたCoMPポイント候補として選ぶ。ここで、閾値は、予め決定されたパラメータ［dB］である。例えば、閾値を低くすると、セルエッジに近いUEだけを、スループット改善のためCoMPを利用できるCoMP UE候補として設定することができる。
【００１２】
ステップ４は、ステップ３０６、３０７及び３０８を含んでいる。ステップ３０６において、各CoMP UE候補に対し、CoMPポイント候補の中のNポイントをCoMPポイントとして固定する。したがって、Ｎ＞１のCoMPポイントを選択した場合、CoMP UE候補をCoMP UEに決定する。一方、N=１の場合、CoMP UE候補は、非CoMP UEに降格される。
【００１３】
CoMPポイントを決定したのち、ステップ３０７において、チャネル依存スケジューリングの準備のために、スケジューリングメトリックを算出し、ランク付けをする。CoMP UEに対しては、決定されたN個のCoMPポイントのCoMPにより改善されたＣＱＩをメトリック算出に用いる。一方、他のUEに対しては、CoMP無し（N=１）のＣＱＩを用いる。
【００１４】
ステップ３０８においては、すべてのUEにＲＢを割り当てる。メトリックランキングに基づき、リソースを割当る。UEがN＞１のCoMPポイントを有する場合、チャネル依存スケジューリングは、同じスペクトル位置を有するリソースブロックを各CoMPポイントに割り当てる。
【００１５】
最後のステップ５においては、スケジューラにより割り当てたＲＢの位置及び数などのスケジューリング結果をUEに伝える。
【先行技術文献】
【非特許文献】
【００１６】
【非特許文献１】3GPP, TR36.913（V8.0.1）, “Requirements for Further Advancements for E-UTRA（LTE-Advanced）,” June 2008
【非特許文献２】3GPP, TR36.814（V1.0.0）, “Further Advancements for E-UTRA Physical Layer Aspects”
【非特許文献３】R1−091484, NTT DOCOMO, ３GPP TSG-RAN WG1 ♯56bis, March 23, 27th 2009
【非特許文献４】R1−084173, Samsung, 3GPP TSG-RAN WG1 ♯55, November 10−14, 2008
【非特許文献５】3GPP, TR２５.３３１ （V８.７.０）
【非特許文献６】3GPP, TR２５.２１３ （V８.４.０）
【発明の開示】
【発明が解決しようとする課題】
【００１７】
CoMPポイントの数は、基地局周辺の環境により絶えず変動するが、一般的な方法では、スケジューリングにおけるメトリックのランク付け及びリソース割当において、CoMPポイントの数が固定的に設定される。UEがＮ＞１のCoMPポイントを有する場合、チャネル依存スケジューリングは、CoMPを用いて改善されたＣＱＩを用い、各CoMPポイントにおける同じスペクトル位置を持つＲＢを割り当てる。N CoMPポイントにおいて共通ＲＢを用いることにより、CoMP UEがCoMPにより得られる送信レートは、改善されたＣＱＩのおかげで、増大する。しかし、CoMPにより瞬間的に得られる送信レートが十分大きくない場合、つまり、非CoMPの場合の送信レートのＮ倍より小さい場合、スペクトル効率（rate-to-spectrum ratio）は減少する。それ故、課題は、固定的に決定されたN CoMPポイントでは、チャネル依存スケジューリング後のスペクトル効率が増大するかしないかが考慮されないことである。
【００１８】
本願が解決しようとする課題はCoMPポイントの種々の可能な組合せによるチャネル依存のスケジューリング後のスペクトル効率を考慮してCoMPポイントを動的に決定し、リソースブロックを効率的に割り当てることにある。
【課題を解決するための手段】
【００１９】
上記課題を解決する第一の発明は、スケジューリングに関する情報を用いて、UE（User Equipment）に対してCoMP（coordinated multipoint transmission and reception）ポイントの数を決定する無線通信システムである。
【００２０】
上記課題を解決する第二の発明は、ススケジューリングに関する情報を用いて、UE（User Equipment）に対してCoMP（coordinated multipoint transmission and reception）ポイントの数を決定することを特徴とする基地局である。
【００２１】
上記の課題を解決する第三の発明は、基地局がスケジューリングに関する情報を用いて決定したCoMP（coordinated multipoint transmission and reception）ポイント数を用いて通信することを特徴とするユーザ端末である。
【００２２】
上記の課題を解決する第四の発明は、スケジューリングに関する情報を用いてユーザ装置へのCoMP（coordinated multipoint transmission and reception）ポイント数を決定することを特徴とする調整装置である。
【００２３】
上記課題を解決する第五の発明は、スケジューリングに関する情報を用いて、UE（User Equipment）に対してCoMP（coordinated multipoint transmission and reception）ポイントの数を決定することを特徴とする無線通信方法である。
【００２４】
スケジューリングに関する情報を用いて、UE（User Equipment）に対してCoMP（coordinated multipoint transmission and reception）ポイントの数を決定する処理をコンピュータに実行させる通信プログラムを有することを特徴とする記録媒体である。
【００２５】
基地局がスケジューリングに関する情報を用いて決定したCoMP（coordinated multipoint transmission and reception）ポイント数を用いて通信する処理をコンピュータに実行させる通信プログラムを有する記憶媒体である。
【発明の効果】
【００２６】
動的なCoMPポイントの決定及び効率的なリソースの割当は、スケジューリングメトリックを算出し、ランク付けするために一部のCoMPポイント又はすべての可能な組合せを想定する。スペクトル効率は、異なる算出スケジューリングメトリックを用いるチャネル依存スケジューリングを比較することにより、改善される。本発明にと一般的な技術と比べると、セルエッジにおけるユーザのスループット及び平均セクタースループットの観点でより大きなCoMP利得を得ることができる。
【図面の簡単な説明】
【００２７】
本開示及びそのメリットのさらなる徹底的理解のため、添付の図面と関連した下記について、参照記号を付けた。図中では、参照数字は構成部を表している。
【図１】図１は、CoMP無及び CoMP.有のDL送信の例を示している。
【図２】図２は、一般的な方法のフローチャートである。
【図３】図３は、本発明のブロック図の一例である。
【図４】図４は、本発明のフローチャートである。
【図５】図５は実施例１のフローチャートである。
【図６】図６は実施例２のフローチャートである。
【図７】図７は実施例３のフローチャートである。
【図８】図８は実施例４のフローチャートである。
【図９】図９は実施例５のフローチャートである。
【図１０】図１０は実施例６のフローチャートである。
【図１１】図１１は実施例７のフローチャートである。
【図１２】図１２は実施例８のフローチャートである。
【図１３】図１３は実施例９のフローチャートである。
【符号の説明】
【００２８】
３１０   UE（User Equipment）
３１１   基準信号送信機
３１２   データ送信部
３１３   制御部
３１４   アンテナ
３１５   受信部
３２０   eNodeB
３２１   基準信号受信部
３２２   データ受信部,
３２３   制御部
３２４   スケジューラ
３２５   送信機
３２６   アンテナ
【発明を実施するための形態】
【００２９】
以下に記載する図４から図１３及び本発明の原理を記述するために用いた実施形態は、一例であり、この開示範囲を限定するものではない。本技術に精通した人ならば、本開示の原理が、任意の適切な無線ネットワークにて実施可能であることを容易に理解するものである。
【００３０】
最初に、本実施形態の構成を説明する。図３は、本発明の無線通信システム３００の概略図である。無線通信システム３００は、複数のUE（User Equipment）及び複数のeNodeB３２０を有している。
【００３１】
UE３１０には、UEフィードバック送信部３１１、データ送信部３１２、制御部３１３、及び受信部３１５が備わっている。
【００３２】
UEフィードバック送信部３１１は、UEフィードバックを生成し、サービングセルである各eNodeB３２０へアンテナ３１４経由で送信する。UEフィードバックには、全eNodeB各々のRSRPのような測定された長期平均チャネル情報が含まれる。
【００３３】
データ送信部３１２は、実データを生成し、それをeNodeB３２０へアンテナ３１４経由してい送信する。
【００３４】
制御部３１３は、eNodeBからパイロット信号を受信すると、RSRP（reference signal received power）、ジオメトリ或いはＣＱＩ（channel quality index）をeNodeBのUEフィードバックとして測定する。
【００３５】
受信部３１５は、各種データやeNodeB３２０から送信される制御情報を受信する。
【００３６】
eNodeB３２０は、ポイント、例えば、基地局である。eNodeB３２０は、フィードバック受信部３２１、データ受信部３２２、制御部３２３、スケジューラ３２４、送信機３２５及びアンテナ３２６を具備する。
【００３７】
フィードバック受信部３２１は、UEが生成するフィードバック情報を受信する。UEフィードバックは、協調送信或いは受信を行うeNodeBs間で交換される。データ受信部３２２は、UEが生成する実データを受信する。制御部３２３は、eNodeBの各機能に対する各種制御を実行する。例えば、送信電力の制御などである。スケジューラ３２４により、リソース割当を実行し、リソース割当に基づくスケジューリング情報を生成する。さらに、CoMP UEに対する協調送信或いは協調受信を実行する。その詳細は下記する。送信部３２５は、アンテナ３２６経由で、スケジューリング情報を送信する。
【００３８】
次に、本発明の方法について説明する。
【００３９】
最初に本方法の基本となるフローチャートを図４に図示する。それについて、以下のように説明する。
【００４０】
ステップ４０１において、スケジューラ３２４によりUE近辺のすべてのポイント（例えば、セル）のUEフィードバック情報を受信する。
【００４１】
ステップ４０２において、各UEに対して、セル（或いは他のタイプのポイント）のランク付けを実行する。各UEに対して、セルのランク付けは以下のように行われる。
0005447893.tif 000004
ここで、Xm,δは、dB表示されたｍ番目のUEのδ番目セルにおけるUEフィードバック情報である（ｍとδは自然数）。
Xm,δがUEフィードバックのRSRP或いはジオメトリであるとき、UEフィードバックのRSRP或いはジオメトリはステップ４０１で得られる。Xm,δが割り当てられたＲＢのＣＱＩ情報である場合、割り当てられたＲＢの位置は、ステップ４０４で得られる（後述する）。
【００４２】
ステップ４０３においては、CoMPポイント候補が各UEに対して選択され、２つ以上のCoMPポイント候補を有するUEは、CoMP UE候補とみなされる。ｍ番目のUEについては、一番高いXm,δを有するポイントは、サービングセルとして選択され、それは常時、CoMPポイントとなる。
0005447893.tif 000005
を有するセルは、CoMPポイント候補としても選択され、その場合、閾値は予め定められたdB表示のパラメータである。
【００４３】
ステップ４０４において、メトリックのランク付けにおいて、CoMP UE候補のCoMPポイントは確定されていない。最初に、スケジューリングメトリックを算出しランク付けするために、CoMPポイント数を初期化する。次に、CoMP UE候補に対して、CoMPポイントの決定とリソース割当を一緒に実行する。したがって、決定したCoMPポイント及び割当結果は、以下のリソース割当のためのメトリックランキングの更新の際に使われる。ステップ４０６では、CoMPポイントの初期化及びメトリックのランク付けが含まれる。初めに、初期化したN個のCoMPポイントを用いて、スケジューリングメトリックをランク付けし、そして、決定したCoMPポイントとステップ４０７の出力からのスケジューリング結果を用いて更新を行う。ステップ４０７において、CoMPポイントの決定を、リソース割当と同様に各UEに対して行う。ステップ４０７の結果は、ステップ４０６でのメトリックランキングの更新に用いられる。
【００４４】
ステップ４０５において、スケジューラによるスケジューリング結果、例えば、割り当てられたＲＢの数及び位置をUEに伝える。
【００４５】
次に、以下の実施例１〜９にて本願の方法を説明する。９個の実施例のフローチャートは、図４の基本的なフローチャートに基づいているが、ステップ４０４が異なる。ステップ４０４中のステップ４０６及びステップ４０７のフローチャートを、図５〜図１３に示した実施例１〜９においてそれぞれ説明する。CoMPポイント数“Ｎ０”の決定においては、実施例１〜９では、スケジューリングに関する情報を使用する。スケジューリングに関する情報とは、スケジューリングで使用する情報で、例えば、PFメトリック、ＣＱＩ或いはQosなどである。尚、一例として、PFメトリックに関係するスケジューリングメトリックを算出する場合を用いて説明する。スケジューリングメトリックは、最大ＣＱＩ基準、サービス品質（Qos）などに基づくことができる。スケジューリングに関係する情報として、eNodeBにおけるスケジューリングで算出されるのが好ましい。更に、割当に関しては、実施例１〜９では、一部或いは全CoMPポイントを想定したスケジューリングに関係する情報を考慮する。
【００４６】
下記の図４のステップ４０４における実施例１〜３では、リソースブロックをまず割り当て、そしてCoMPポイントを決める。割当てられたＲＢの正規化レートの合計が一番高くなるように、CoMPポイントの最適な組合せを選択する。ステップ４０６では異なる初期化が想定されるので、ステップ４０７での対応するプロセスも、各実施例に対して異なるものとなる。
【００４７】
図４のステップ４０４における実施例４〜６では、まずCoMPポイントを決定し、その後ＲＢの割り当てを実行する。スペクトル効率レートの平均の最高値を満たす、CoMP UE候補であり一番高いメトリックを有するＲＢに基いて、CoMPポイントの最適な組合せを選択する。その後、決定されたCoMPポイントの数を用いて、このUEにリソースを割り当てる。
【００４８】
図４のステップ４０４における実施例７〜９では、CoMPポイントを再帰的に決定し、そしてリソースブロックを割り当てる。スケジューラ３２４は、ＲＢに一番高いメトリックのRBを割り当て、割り当てられたＲＢに基づき、CoMPポイント数Ｎを一時的に決定する。そして、スケジューラ３２４は、ＲＢをもう一つ割り当て、そして割当ＲＢの正規化レートが一番高くなるように、Ｎ０を調整する。更新された最新のＮ０を用いて、ＲＢを１つ１つCoMP UE候補に割り当てる。この処理の反復を、このUEに属していて、一番高いメトリックを有する全ＲＢが割り当てられ、そしてCoMPポイント数が決定されるまで続ける。
【００４９】
尚、上記説明ではスケジューラがUE毎にセルをランク付けする構成は用いて説明したが、セルをUE側でランク付けし、eNode Bに送信する構造であってもよい。
【００５０】
＜実施例１＞
実施例１を以下に説明する。実施例１におけるスケジューラ３２４について説明する。
【００５１】
スケジューラ３２４は、全UEの各リソースブロック（ＲＢ）のメトリックを算出する。非CoMP UE、例えば、セルの中央に近いUEに対しては、Single Point送信、即ち、N=１での送信が行われる。CoMP UE候補、例えば、セルエッジに位置するUEに対しては、CoMPポイントの全組合せを想定したＣＱＩを用いて、メトリックを算出する。ここで、CoMPポイントの組合せとは、異なるCoMPポイント数を選択することを意味する。CoMPポイント数Ｎは、“１〜Nmax”の範囲の数値である。ここで、CoMPポイントの最大値であるNmaxは、あらかじめ決めておいても良い。
【００５２】
スケジューラ３２４は、算出したメトリックをＲＢごとにランク付けする。この算出したメトリックの中から、スケジューラ３２４により、一番高いメトリックを見つけ出し、そのメトリックに対応するOwner UEを最適UEとして注目するUEとみなす。さらに、メトリックが一番高い場合、スケジューラ３２４が、その注目するUEにＲＢを割り当てる。
【００５３】
注目するUEがCoMP UE候補の場合、スケジューラ３２４は、まずこの注目するUEの割当ＲＢを各グループが同じCoMPポイント数を想定したメトリックを有する各グループに分割する。次に、スケジューラ３２４により、各グループに属する割当ＲＢの正規化レートの合計を算出する。N CoMPポイントを想定したグループの標準的なレートの合計T（N）は、ＲＢがN個のCoMPポイントに同時に割り当てられた場合、関数f（N）により正規化された推定データレートの合計と定義する。ここで、f（N）はNの関数である。例えば、
ｆ(n)＝max（1,αN） and 0＜α＜１は調整する係数である。
【００５４】
想定した異なる数のCoMPポイントの正規化レートの合計を比較し、スケジューラ３２４により、一番高い正規化レートの合計に基づき、この注目UEに対するCoMPポイントの数“N０”を最終的に決定する。そして、上記のプロセスは既にCoMPポイントの組合せを想定しているので、CoMPポイントも決定する。決定したCoMPポイントの数は以下において“N０”であらわす。
【００５５】
CoMPポイントの決定後、スケジューラ３２４により、注目UEのN０と同等ではないNのメトリックを有する割当ＲＢをリリースする。さらに、注目UEのN０と同等ではないNのメトリックを削除することにより、メトリックランキングを更新する。
【００５６】
スケジューラ３２４は、全ＲＢを割り当てるか、もしくは全UEに割り当てられるまで、上記のプロセスを実行する。ここで、CoMP UE候補にもそのCoMPポイントを決定しておく。
【００５７】
上記処理を、セルごとに実行する。全セルにおいて上記の処理を完了した後、スケジューラ３２４により、CoMP UEに対するリソース割当を調整する。CoMP UEがそのCoMPポイントとは異なるＲＢを割り当てられた場合、スケジューラ３２４は、CoMPポイントとは非共通に割り当てられたRBについて、異なるOwner UEの調整を行う。調整方法の一例としては、非共通に割り当てられたＲＢをもう一つのUEにリリースする方法があり、そのUEはこのＲＢのメトリックランキング表において、割り当てられたUEより低いメトリックのUEでも良い。調整の結果、CoMP UEにCoMPポイントのＲＢを割り当てられなかった場合、スケジューラにより次のスケジューリング時間にCoMP UEに割り当てる。
【００５８】
本実施例の動作を以下に説明する。実施例１について、ステップ４０４におけるステップ４０６及びステップ４０７の詳細フローチャートを図５に示し、以下に説明する。図５のステップ４０６には、２つのステップ、ステップ５０１と５０２とがある。図５のステップ４０７には、１０のステップ、ステップ５０３から５１２がある。
【００５９】
ステップ５０１において、CoMP UE候補のCoMPポイント数をN=１〜Nmaxのように初期化する。一方、他のUEでは、N=１とする。ここでは、セルインデックスは、０又は任意の値からスタートする
【００６０】
次に、ステップ５０２において、チャネル依存スケジューリング用の初期化されたN CoMPポイントを有する種々のUEのＣＱＩを用いて、メトリックの算出及びランク付けを行う。
ここで、PFメトリックを実施例として以下のように説明する。
0005447893.tif 000006
ここで
0005447893.tif 000007
U：UEインデックス番号
R：RBインデックス番号
N：CoMPポイントの数
f(N)＝max{1,αN}：正規化レートの関数
Rate(u)：u番目のUEの平均レート
Rate#N(u,k)：N個のCoMPポイントを複合させたCQIを用いたk番目のUEの推定レート
【００６１】
ステップ５０３において、スケジューラにより、まず、最適UEとみなされる一番高いメトリックを有するUEを見出す。各非割当ＲＢのメトリックランキングにしたがって、スケジューラがＲＢをトップメトリックが付けられている最適UEに割り当てることができる。
【００６２】
ステップ５０４において、スケジューラにより最適UEがCoMP UE候補であるかどうか確認する。もしそうである場合、ステップ５０５へ進む。そうでない場合、ステップ５０９へ進む。
【００６３】
ステップ５０５において、スケジューラによりこのCoMP UE候補が既にN０（N:CoMPポイント数）を決定したかどうか確認する。もし決定しているなら、ステップ５０９へ進む。そうでない場合、ステップ５０６へ進む。
【００６４】
ステップ５０６において、スケジューラにより各N=１〜Nmaxに対してT（N）を算出する。現在のCoMP UE候補のメトリックは、N=１〜Nmaxを想定して算出したものなので、割当ＲＢは種々のNのメトリックを有するＲＢを含むことがある。
【００６５】
ステップ５０７において、スケジューラにより、N０ CoMPポイントが最高T（N０）を達成できる場合、N=N０と決定する。そして、CoMPポイントも決定する。
【００６６】
ステップ５０８において、決定されたN０を確認し、スケジューラにより、UEに割り当てられたNがN０と同等ではないと想定されると、ＲＢをリリースする。
【００６７】
ステップ５０９において、スケジューラにより、ＲＢ或いはUEが割り当てられているかどうか確認する。もし割り当てられているなら、ステップ５１０へ進む。そうでない場合、ステップ４０６のステップ５０２へ進みメトリックランキングを更新する。
【００６８】
現在処理中のセルにおいてリソース割当及びポイント決定を完了した後、ステップ５１０でスケジューラにより現在処理中のセルが最終セルかどうか確認する。もしそうなら、ステップ５１１へ進む。そうでない場合、ステップ５１２へ進み、次のセルに移動し、そしてステップ４０６のステップ５０２に進み、そのセルが属するUEのメトリックを算出し、ランク付けを行う。
【００６９】
ステップ５１１において、各セルへのリソースを割り当てた後、スケジューラは調整を行う。各CoMP UEに対して、割り当てられたＲＢが各CoMPポイントに共通に割り当てられているものではない場合、スケジューラは、次に低いPFメトリックを有するUEを、Owner RBに置き換える。ステップ５１１の出力は、各UEへの割当ＲＢに関する情報である。
【００７０】
本実施例のような構成にすることにより、セルの平均スループット及びセルエッジに位置するユーザのスループットとの両方の改善が可能となる。
【００７１】
＜実施例２＞
実施例２について説明する。上記実施例の構成に似ている構成についての説明は省略する。
【００７２】
スケジューラ３２４により、CoMPポイント数を、単純に、単一ポイントとして初期化したと想定して、各ＲＢのメトリックを算出する。即ち、CoMP UE候補に対し、他の非CoMP UEと同様に、N＝１とする。
【００７３】
スケジューラ３２４により、各ＲＢについて全UEのメトリックを算出し、ＲＢ毎に算出メトリックのランク付けを行う。
【００７４】
この算出したメトリックの中から、スケジューラ３２４は、一番高いメトリックを見つけ出し、そのOwner UEを、最適UEと呼び、注目UEとみなす。各非割当ＲＢについてのメトリックランキングにしたがい、スケジューラは、トップメトリックがこのUEに属する場合、最適UEにＲＢを割り当てることができる。
【００７５】
注目UEがCoMP UE候補の場合、スケジューラ３２４により、N=１CoMPポイントを想定したＣＱＩに基き、一番高いＲＢのT（N=１）を算出する。さらに、N+１CoMPポイントが注目UEの割当ＲＢの同期送信に使われる場合、スケジューラ３２４により、複合されたＣＱＩを用いて、T（N+１）を算出する。
【００７６】
スケジューラ３２４により、算出したT（N=１）とT（N+１）を比較する。T（N+１）＞T（N）の場合、スケジューラにより、NをN=N+１に増加する。この処理を、T（N０）が最大に成るまで繰り返し続ける。それ故、CoMPポイント数は、N=N０と決める。そして、上記処理では既にCoMPポイントの組合せを想定しているので、CoMPポイントも決定する。
【００７７】
CoMPポイント決定後、N０が初期値N（本実施例ではN=１）の場合、スケジューラ３２４により、メトリックランキングの更新を行う。初めに、初期値Nを有する注目UEのメトリックを削除し、その後、N=N０としたメトリックで置き換える。注目UEのN=N０を有する新メトリック使って、メトリックランキングを更新する。
【００７８】
スケジューラ３２４により、全ＲＢが割り当てられるか或いは全UEが割り当てられるまで上記のプ処理を実行する。また、ここではCoMP UE候補にもそのCoMPポイントを決定してある。
【００７９】
上記処理をセル毎に実行する。上記処理をすべてのセルで完了した後、スケジューラ３２４により、CoMP UEへのリソース割当をコーディネートする。CoMP UEに、そのCoMPポイントから異なるＲＢが割り当てられた場合、スケジューラ３２４により、このCoMPポイントとは非共通にに割り当てられたＲＢに対して調整を行う。非共通に割当られたＲＢをもう一つのUEにリリースするのは、１つのコーディネーション方法であり、そのUEはこのＲＢのメトリックランキング表において、割当られたUEより低いメトリックのUEでも良い。コーディネーションの結果、CoMP UEにCoMPポイントのＲＢを割り当てられなかった場合、スケジューラにより次のスケジューリング時間にCoMP UEに割り当てる。
【００８０】
本実施例の動作を以下に説明する。実施例２について、ステップ４０４におけるステップ４０６及びステップ４０７の詳細フローチャートを図６に示し、以下に説明する。
【００８１】
図６のステップ４０６には、２つのステップ、ステップ６０１と６０２がある。ステップ６０１において、CoMPポイント数をN=１として初期化し、セルインデックス０から始める。次に、ステップ６０２において、メトリック算出及びランク付けは、他の非CoMP UEに対するのと同様、CoMP UE候補に対して初期化されたN=１CoMPポイントを想定して、ＣＱＩを用いて、チャネル依存スケジューリングを実行する。この点で、PFメトリックをMath.１にて説明している。。
【００８２】
図６のステップ４０７において、ステップ６０３は、まず各未割当ＲＢを一番高いメトリックのUEに割り当てる。割当ＲＢの中から、スケジューラ３２４により、一番高いメトリックを見出し、そのOwner UEを最適UEとも呼ばれる注目UEとみなす。そして、ステップ６０４において、最適UE（一番高いPFメトリックを有するUE）がCoMP UE候補であるかどうか確認する。もしそうならば、ステップ６０５へ進む。そうでない場合は、ステップ６０９へ進む。ステップ６０５において、このCoMP UE候補が既にNを決定したかどうか確認する。
【００８３】
もしそうならば、ステップ６０９へ進む。そうでない場合は、ステップ６０６へ進む。ステップ６０６においては、このCoMP UE候補の達成可能なT（N）を、割当ＲＢのＣＱＩに基づき算出する。N及びN+１ CoMPポイントをそれぞれ想定して、T（N）及びT（N+１）を算出する。次に、ステップ６０７にて、T（N）とT（N+１）を比較し、N＜NmaxかつT（N+１）＞T（N）であるか否か確認する。
【００８４】
もしそうならば、ステップ６０８へ進み、NをN=N+１に増加する。そうでないない場合は、ステップ６０９へ進む。このようにして、CoMPポイント数が、最高T（N０）を達成するようにN=N０を決定する。そして、CoMPポイントも決定する。CoMPポイントを決定後、ステップ６０９にて全ＲＢ或いはUEが割り当てられたかどうか確認する。
【００８５】
もしそうならば、ステップ６１０へ進む。そうでない場合は、ステップ４０６のステップ６０２に進み、メトリックランキングを更新する。ステップ６１０では、現行セルが最終セルであるかどうか確認する。もしそうならば、ステップ６１１へ進む。そうでない場合は、ステップ６１２へ進み、次のUEに移動し、そしてステップ６０６のステップ６０２に進み、メトリックランキングを更新する。ステップ６１１において、各セルに対するリソース割当後に調整を実行する。各CoMP UEに対して、もし割当ＲＢが各CoMPポイントに共通のRBを割り当てられない場合は、スケジューラにより、このＲＢのOwner UEを次に低いメトリックのUEと置き換える。ステップ６１１の出力は、各UEに対する割当ＲＢについての情報である。
【００８６】
本実施例のような構成にすると、平均セクタースループット及びセルエッジに位置するユーザのスループットの両方を改善することが可能である。
【００８７】
＜実施例３＞
実施例３のスケジューラ３２４について説明する。上記実施例の構成に似ている構成についての説明は省略する。
【００８８】
スケジューラ３２４により、CoMPポイント数を、単純に、単一ポイントとして初期化したと想定して、UEの各ＲＢのメトリックを算出する。即ち、CoMP UE候補に対して、N=Nmax （Nmax: CoMP ポイント数の最大値）とし、他の非CoMP UEに対してはN＝１とする。
【００８９】
スケジューラ３２４により、各ＲＢについて全UEのメトリックを算出し、ＲＢ毎に算出メトリックのランク付けを行う。割当ＲＢの中で、スケジューラ３２４により、一番高いメトリックのＲＢを見出し、そのOwner UEを最適UEとも呼ばれる注目UEと見なす。各非割当ＲＢについてのメトリックランキングに従い、スケジューラにより、トップメトリックがこのUEに属する場合、最適UEにＲＢを割り当てることができる。
【００９０】
割当ＲＢについて、スケジューラ３２４により、Nmax CoMPポイントを想定したＣＱＩに基づき、注目UEのT（N=Nmax）を算出する。さらに、スケジューラ３２４により、N−１CoMPポイントが注目UEの割当ＲＢにおける同期送信に用いられる場合、複合ＣＱＩを用いてT（N−１）を算出する。
【００９１】
スケジューラ３２４は、算出したT（N=１）とT（N−１）を比較する。N＞１でT（N）＜T（N−１）の場合、スケジューラにより、N=N−１を更新する。このプロセスを、最大T（N０）が達成されるまで続ける。それ故、NはN０と決める。そして、上記処理では既にCoMPポイントの組合せを想定しているので、CoMPポイントも決定する。
【００９２】
CoMPポイント決定後、N０が初期化N（本実施例ではN=Nmax）と一致しない場合、スケジューラ３２４により、メトリックランキングの更新を行う。初めに、初期化Nを有する注目UEのメトリックを削除し、その後、N=N０としてメトリックで置き換える。注目UEのN=N０を有する新メトリック使って、メトリックランキングを更新する。
【００９３】
スケジューラ３２４により、全ＲＢが割り当てられるか或いは全UEが割り当てられるまで上記の処理を実行する。また、ここではCoMP UE候補にもそのCoMPポイントを決定してある。
【００９４】
上記処理をセル毎に実行する。上記処理をすべてのセルで完了した後、スケジューラ３２４により、CoMP UEへのリソース割当を調整する。CoMP UEに、そのCoMPポイントから異なるＲＢが割り当てられた場合、スケジューラ３２４により、このCoMPポイントとは非共通に割り当てられたＲＢに対して調整を行う。非共通に割当られたＲＢをもう一つのUEにリリースするのは、１つの調整方法であり、そのUEはこのＲＢのメトリックランキング表において、割当られたUEの次に低いメトリックを有するUEでも良い。調整の結果、CoMP UEにCoMPポイントのＲＢを割り当てられなかった場合、スケジューラには次のスケジューリングの機会にCoMP UEに割り当てる。
【００９５】
本実施例の動作を以下に説明する。実施例３について、ステップ４０４におけるステップ４０６及びステップ４０７の詳細フローチャートを図７に示し、以下に説明する。
【００９６】
図７のステップ４０６には、２つのステップ、ステップ７０１と７０２がある。ステップ７０１において、CoMPポイント数をN=Nmaxとして初期化し、セル指標を０から始める。次に、ステップ７０２において、メトリック算出及びランク付けは、他の非CoMP UEに対するのと同様、CoMP UE候補に対して初期化されたN=Nmax CoMPポイントを想定して、ＣＱＩを用いて、チャネル依存スケジューリングを実行する。ここで、PFメトリックはMath.１にてされている。
【００９７】
図７のステップ４０７において、ステップ７０３は、まず一番高いメトリックのＲＢを見出し、そのOwner UEを最適UEとも呼ばれる注目UEと見なす。各未割当ＲＢのメトリックランキングにしたがって、スケジューラにより、トップメトリックがこのUEに属する場合、ＲＢを最適UEに割り当てる。そして、ステップ９０４にて、最適UE（一番高いPFメトリックを有するUE）がCoMP UE候補であるかどうか確認する。もしそうならば、ステップ７０５へ進む。そうでない場合は、ステップ７０９へ進む。ステップ７０５にて、このCoMP UE候補のN０を既に決定したかどうか確認する。
【００９８】
もしそうならば、ステップ７０９へ進む。そうでない場合は、ステップ７０６へ進む。ステップ７０６において、このCoMP UE候補が達成可能である標準レートの合計を割当ＲＢのＣＱＩに基づいて算出する。CoMP ポイントのNとN-１を想定することにより、T（N）とT（N−１）をそれぞれ算出する。次に、ステップ７０７において、T（N）とT（N+１）とを比較し、N＞１かつT（N）＜T（N−１）であるか否か確認する。
【００９９】
もしそうならば、ステップ７０８へ進み、そこでNをN=N−１に減らす。そうでない場合は、ステップ７０９へ進む。それ故、CoMPポイント数をN=N０と決め、一番高い標準レートの合計を達成する。CoMPポイントを決めたのち、ステップ７０９にて、全ＲＢ又はUEが割り当てられたかどうか確認する。
【０１００】
もしそうならば、ステップ７１０へ進む。そうでない場合は、ステップ４０６のステップ７０２に進み、メトリックランキングを更新する。ステップ７１０では、現在処理中のセルが最終セルであるかどうか確認する。もしそうならば、ステップ７１１へ進む。そうでない場合は、ステップ７１２へ進み、次のUEに移動し、そしてステップ７０６のステップ７０２に進み、メトリックランキングを更新する。ステップ７１１において、各セルに対するリソース割当後に調整を実行する。各CoMP UEに対して、もし割当ＲＢが各CoMPポイントに共通に割り当てられているRBではない場合は、このＲＢのオーナーをより低いメトリックの次のUEと置き換える。ステップ７１１の出力は、各UEに対する割当ＲＢについての情報である。
【０１０１】
この実施例のような構成にすると、平均セクターのスループット及びセルエッジに位置するユーザのスループットの両方を改善することが可能である。
【０１０２】
＜実施例４＞
実施例４のスケジューラ３２４について説明する。前記実施例の構成に似ている構成についての説明は省略する。
【０１０３】
スケジューラ３２４にて、全UEの各々のリソースブロック（ＲＢ）のメトリックを算出する。ＲＢ毎に算出メトリックのランク付けを行う。CoMP UE候補については、CoMPポイントの全組合せを想定したＣＱＩを用いてメトリックを算出する。
【０１０４】
スケジューラ３２４にて、ＲＢ毎に算出したメトリックのランク付けを行う。
【０１０５】
この算出したメトリックの中から、スケジューラ３２４により、一番高いメトリックのＲＢを見つけ出し、そのOwner UEを最適UEとも呼ばれる注目UEと見なす。
【０１０６】
注目UEがCoMP UE候補である場合、スケジューラ３２４により、一番高いメトリックのＲＢに基いて、この注目UEのCoMPポイント数“N０”を決定する。そして、上記のプロセスではすでにCoMPポイントの組合せを想定しているので、CoMPポイントも決定する。
【０１０７】
CoMPポイントの決定後、スケジューラ３２４により、N０でないNのメトリックを削除し、N=N０のメトリックを用いてメトリックランキングを更新する。さらに、スケジューラ３２４により、ＲＢをトップメトリックが属している注目UEに割り当てる。
【０１０８】
スケジューラ３２４により、全ＲＢが割り当てられるか、全UEが割り当てられるまで、上記の処理を遂行する。ここで、CoMP UE候補にもそのCoMPポイントを決定してある。
【０１０９】
上記処理を、セルごとに実行する。全セルにおいて上記のプロセスを完了した後、スケジューラ３２４により、CoMP UEに対するリソース割当を調整する。CoMP UEがそのCoMPポイントから異なるＲＢを割り当てられた場合、スケジューラ３２４により、異なるOwner UEを、この非共通に割当られたＲＢに調整する。非共通に割当られたＲＢをもう一つのUEにリリースするのは、１つの調整方法であり、そのUEはこのＲＢのメトリックランキング表において、割当られたUEより低いメトリックのUEでも良い。調整処理の結果、CoMP UEにCoMPポイントのＲＢを割り当てられなかった場合、スケジューラにより次のスケジューリング時間にCoMP UEに割り当てる。
【０１１０】
本実施例の動作を以下に説明する。実施例４について、ステップ４０４におけるステップ４０６及びステップ４０７の詳細フローチャートを図８に示し、以下に説明する。図８のステップ４０６には、２つのステップ、ステップ８０１と８０２がある。図８のステップ４０７には、１０のステップ、ステップ８０３から８１２がある。
【０１１１】
ステップ８０１において、CoMP UE候補のCoMPポイント数をN=１〜Nmaxのように初期化する。一方、他のUEでは、N=１とする。ここでは、セルインデックスは、０からスタートする。スタートセルの番号は任意である。
【０１１２】
次に、ステップ８０２において、チャネル依存スケジューリング用の初期化されたN CoMPポイントを有する種々のUEのＣＱＩを用いて、メトリックの算出及びランク付けを行う。この点で、PFメトリックをMath.１にて説明している。。
【０１１３】
ステップ８０３において、スケジューラにより、まず最高メトリックのＲＢを見出し、そのOwnerUEを、最適UEと呼び、注目UEと見なす。
【０１１４】
ステップ８０４において、スケジューラにより最適UEがCoMP UE候補であるか否か確認する。もしそうなら、ステップ８０５へ進む。そうでない場合、ステップ８０９へ進む。
【０１１５】
ステップ８０５において、スケジューラによりこのCoMP UE候補のN０を既に決定したかどうか確認する。もしそうなら、ステップ８０８へ進む。そうでない場合、ステップ８０６へ進む。
【０１１６】
ステップ８０６において、N０ CoMPポイントは一番高いメトリックに達するので、CoMPポイント数N０をN=N０と決定する。そして、CoMPポイントも決定する。
【０１１７】
CoMPポイント決定後、ステップ８０７において、スケジューラにより、メトリックランキング表からN０に等しくないNを有するUEのメトリックを削除する。未割当ＲＢの一番高いメトリックが現行UEに属する場合、このＲＢをステップ８０８において割り当てる。
【０１１８】
ステップ８０９において、スケジューラにより、全ＲＢ或いはUEが割り当てられているかどうか確認する。もしそうなら、ステップ８１０へ進む。そうでない場合、ブロック４０６のステップ８０２へ進みメトリックランキングを更新する。
【０１１９】
現在処理中のセルでのリソース割当及びポイント決定を完了した後、ステップ８１０でスケジューラにより、現在処理中のセルが最終セルかどうか確認する。もしそうなら、ステップ８１１へ進む。そうでない場合、ステップ８１２へ進み、次のセルに移動し、そしてブロック４０６のステップ８０２に進み、そのセルに属するUEのメトリックを算出し、ランク付けを行う。
【０１２０】
ステップ８１１において、スケジューラにより、各セルへのリソース割当後、調整処理を行う。各CoMP UEに対しては、もし割当ＲＢが各CoMPポイントに共通に割り当てられたRBではない場合、スケジューラにより、より低いPFメトリックを有する次のUEで、このＲＢのオーナーを置き換える。ステップ８１１の出力は、各UEへの割当ＲＢに関する情報である。
【０１２１】
本実施例のような構成にすることにより、平均セクタースループット及びセルエッジに位置するユーザのスループット両方の改善が可能となる。
【０１２２】
＜実施例５＞
実施例５のスケジューラ３２４について説明する。前記実施例の構成に似ている構成についての説明は省略する。
【０１２３】
スケジューラ３２４により、CoMPポイント数が、単純に、単一ポイントとして初期化されたと想定して、各ＲＢのメトリックを算出する。即ち、CoMP UE候補に対し、他の非CoMP UEと同様に、N＝１とする。
【０１２４】
この算出したメトリックの中から、スケジューラ３２４により、一番高いメトリックのＲＢを見つけ出し、そのOwner UEを、最適UEとも呼び、注目UEと見なす。
【０１２５】
注目UEがCoMP UE候補の場合、スケジューラ３２４により、まずこの注目UEに属する一番高いメトリックのＲＢを見出し、N=１CoMPポイントを想定したＣＱＩに基づいて、T（N）を算出する。さらに、N+１CoMPポイントがＲＢにおける同期送信に使われる場合、複合ＣＱＩを用いて、スケジューラ３２４により、T（N+１）を算出する。
【０１２６】
スケジューラ３２４により、算出したT（N）とT（N+１）を比較する。率がT（N+１）＞T（N）である場合、スケジューリングにより、N をN=N+１に増加させる。この処理を、最大T（N）に達成するまで繰り返し続ける。その結果として、CoMPポイント数をN=N０と決定する。そして、上記のプロセスは既にCoMPポイントの組合せを想定しているので、CoMPポイントも決定する。
【０１２７】
CoMPポイントを決定したのち、スケジューラ３２４により、注目UEのN０と同等ではないNのメトリックを有する割当ＲＢをリリースする。加えるに、注目UEのメトリックを削除する或いは、メトリックをN=N０として算出することにより、メトリックランキングを更新する。メトリックランキング更新後、スケジューラ３２４により、一番高いメトリックの注目UEにＲＢを割り当てる。
【０１２８】
スケジューラ３２４により、全ＲＢが割り当てられるか或いは全UEが割り当てられるまで上記の処理を実行する。また、ここではCoMP UE候補にもそのCoMPポイントを決定してある。
【０１２９】
上記処理をセル毎に実行する。上記処理をすべてのセルで完了した後、スケジューラ３２４により、CoMP UEへのリソース割当を調整する。CoMP UEに、そのCoMPポイントとは異なるＲＢが割り当てられた場合、スケジューラ３２４により、この非共通に割り当てられたＲＢに対して調整処理を行う。非共通に割当られたＲＢをもう一つのUEにリリースするのは、１つの調整方法であり、そのUEはこのＲＢのメトリックランキング表において、割当られたUEより次に低いメトリックのUEでも良い。調整処理の結果、CoMP UEにCoMPポイントのＲＢを割り当てられなかった場合、スケジューラにより次のスケジューリング時間にCoMP UEに割り当てる。
【０１３０】
本実施例の動作を以下に説明する。実施例５について、ステップ４０４におけるブロック４０６及びブロック４０７の詳細フローチャートを図９に示し、以下に説明する。図９のブロック４０６には、２つのステップ、ステップ９０１と９０２がある。図９のブロック４０７には、１１のステップ、ステップ９０３から９１３がある。
【０１３１】
ステップ９０１において、CoMPポイント数をN=１として初期化し、セルインデックスを０から始める。次に、ステップ９０２において、メトリック算出及びランク付けは、他の非CoMP UEに対するのと同様、CoMP UE候補に対して初期化されたN=１CoMPポイントを想定して、ＣＱＩを用いて、チャネル依存スケジューリングを実行する。ここで、PFメトリックをMath.１にて説明する。
【０１３２】
図９のブロック４０７において、ステップ９０３により、まず一番高いメトリックのＲＢを見出す。割当ＲＢの中で、スケジューラ３２４により、一番メトリックを見出し、そのOwner UEを最適UEとも呼ばれる注目UEと見なす。そして、ステップ９０４にて、最適UE（一番高いPFメトリックを有するUE）がCoMP UE候補であるか否か確認する。もしそうならば、ステップ９０５へ進む。そうでない場合は、ステップ９０９へ進む。ステップ９０５にて、このCoMP UE候補のN０を既に決定したかどうか確認する。もしそうならば、ステップ９０９へ進む。そうでない場合は、ステップ９０６へ進む。ステップ９０６においては、このCoMP UE候補のが達成可能な正規化レートの合計を、割当ＲＢに基づき算出する。N及びN+１ CoMPポイントをそれぞれ想定して、T（N）及びT（N+１）を算出する。次に、ステップ９０７にて、T（N）とT（N+１）を比較し、N＜NmaxかつT（N+１）＞T（N）であるか否か確認する。
【０１３３】
もしそうならば、ステップ９０８へ進み、NをN=N+１に増加する。そうでない場合は、ステップ９０９へ進む。このようにして、CoMPポイント数が、一番高いメトリックに達成するようにN=N０を決定する。未割当ＲＢの最高メトリックがN０CoMPポイントを有する現行UEである場合、このＲＢをステップ９０９において割り当てる。
【０１３４】
割り当て後、ステップ９１０において、全ＲＢ又はUEが割り当られたか否か確認する。もしそうならば、ステップ９１１へ進む。そうでない場合は、ブロック４０６のステップ９０２に進み、メトリックランキングを更新する。
【０１３５】
現在処理中のセルでのリソース割当及びポイント決定を完了した後、ステップ９１１にてスケジューラにより、現在処理中のセルが最終セルかどうか確認する。もしそうなら、ステップ９１２へ進む。そうでない場合、ステップ９１３へ進み、次のセルに移動し、そしてブロック４０６のステップ９０２に進み、そのセルに属するUEのメトリックを算出し、ランク付けを行う。
【０１３６】
ステップ９１２において、スケジューラにより、各セルへのリソース割当後、調整処理を行う。各CoMP UEに対しては、もし割当ＲＢが各CoMPポイントに共通に割り当てられたRBではない場合、スケジューラにより、次に低いPFメトリックを有するUEで、このＲＢのオーナーを置き換える。ステップ９１２の出力は、各UEへの割当ＲＢに関する情報である。
【０１３７】
本実施例のような構成にすることにより、平均セクタースループット及びセルエッジに位置するユーザのスループット両方の改善が可能となる。
【０１３８】
＜実施例６＞
実施例６のスケジューラ３２４について説明する。前記実施例の構成に似ている構成についての説明は省略する。
【０１３９】
スケジューラ３２４により、CoMPポイント数が、単純に、単一ポイントとして初期化されたと想定して、各ＲＢのメトリックを算出する。即ち、CoMP UE候補に対しN= Nmaxとするが、他の非CoMP UEはN＝１とする。
【０１４０】
スケジューラ３２４にて、ＲＢ毎に算出したメトリックのランク付けを行う。この算出したメトリックの中から、スケジューラ３２４により、一番高いメトリックのＲＢを見つけ出し、そのOwner UEを最適UEと呼び注目UEと見なす。
【０１４１】
注目UEがCoMP UE候補の場合、スケジューラ３２４により、まずこの注目UEに属する一番高いメトリックのＲＢを見出す。スケジューラ３２４により、Nmax CoMPポイントを想定したＣＱＩに基づいて、注目UEのT（N=Nmax）を算出する。さらに、N−１ CoMPポイントが注目UEの割当ＲＢにおける同期送信に使われる場合、複合ＣＱＩを用いて、スケジューラ３２４により、合計レートT（N−１）を算出する。
【０１４２】
スケジューラ３２４により、算出したT（N）とT（N-１）を比較する。N＞１かつT（N）＜T（N−１）である場合、スケジューラにより、N=N−１に更新する。このプロセスを、最大T（N０）を達するまで続ける。その結果として、NをN０と決定する。そして、上記のプロセスは既にCoMPポイントの組合せを想定しているので、CoMPポイントも決定する。
【０１４３】
CoMPポイントを決定したのち、スケジューラ３２４により、注目UEのN０と同等ではないNのメトリックを有する割当ＲＢをリリースする。加えるに、注目UEのメトリックを削除する或いは、メトリックをN=N０として算出することにより、メトリックランキングを更新する。さらに、スケジューラ３２４により、一番高いメトリックの注目UEにＲＢを割り当てる。
【０１４４】
スケジューラ３２４により、全ＲＢが割り当てられるか或いは全UEが割り当てられるまで上記のプロセスを実行する。また、ここではCoMP UE候補にもそのCoMPポイントを決定してある。
【０１４５】
上記処理をセル毎に実行する。上記のプロセスをすべてのセルで完了した後、スケジューラ３２４により、CoMP UEへのリソース割当を調整する。CoMP UEに、そのCoMPポイントから異なるＲＢが割り当てられた場合、スケジューラ３２４により、この非共通に割り当てられたＲＢに対して調整処理を行う。非共通に割当られたＲＢをもう一つのUEにリリースするのは、１つの調整方法であり、そのUEはこのＲＢのメトリックランキング表において、割当られたUEより低いメトリックのUEでも良い。コーディネーションの結果、CoMP UEにCoMPポイントのＲＢを割り当てられなかった場合、スケジューラにより次のスケジューリングの機会にCoMP UEに割り当てる。
【０１４６】
本実施例の動作を以下に説明する。実施例６について、ステップ４０４におけるブロック４０６及び４０７の詳細フローチャートを図１０に示し、以下に説明する。図１０のブロック４０６には、２つのステップ、ステップ１００１と１００２がある。図１０のブロック４０７には、１１のステップ、ステップ１００３から１０１３がある。
【０１４７】
図１０のブロック４０６には、２つのステップ、ステップ１００１と１００２がある。ステップ１００１において、CoMPポイント数をN=Nmaxとして初期化し、セルインデックスを０から始める。次に、ステップ１００２において、メトリック算出及びランク付けは、他の非CoMP UEに対するのと同様、CoMP UE候補に対して初期化されたN=Nmax CoMPポイントを想定して、ＣＱＩを用いて、チャネル依存スケジューリングを実行する。ここで、PFメトリックをMath.１にて説明する。
【０１４８】
図１０のブロック４０７において、ステップ１００３は、まず一番高いメトリックのＲＢを見出す。スケジューラ３２４により、割当ＲＢの中から、一番高いメトリックのＲＢを見出し、そのOwner UEを最適UEと呼ぶ注目UEと見なす。そして、ステップ９０４は、最適UE（一番高いPFメトリックを有するUE）がCoMP UE候補であるかどうか確認する。もしそうならば、ステップ７０５へ進む。そうでない場合は、ステップ７０９へ進む。ステップ７０５では、このCoMP UE候補のN０を既に決定したかどうか確認する。
【０１４９】
もしそうならば、ステップ１００５へ進む。そうでない場合は、ステップ１００９へ進む。ステップ１００５では、このCoMP UE候補のN０を既に決定したか否か確認する。もしそうならば、ステップ１００９へ進む。そうでない場合、ステップ１００６へ進む。ステップ１００６においては、このCoMP UE候補の実現可能な正規化された合計レートを、割当ＲＢのＣＱＩに基いて算出する。NとN−１ CoMPポイントをそれぞれ想定して、T（N）とT（N−１）を算出する。次に、ステップ１００７にて、T（N）とT（N+１）を比較し、そしてN＞１かつT（N）＜T（N−１）であるか否か確認する。
【０１５０】
もしそうならば、ステップ１００８へ進み、そこでNをN=N−１に減らす。そうでない場合は、ステップ１００９へ進む。このようにして、CoMPポイント数をN=N０と決め、一番高いメトリックを達成する。そして、CoMPポイントも決める。未割当ＲＢの一番高いメトリックがN０ CoMPポイントを有する現行UEである場合、このＲＢをステップ１００９において割り当てる。
【０１５１】
割当後、ステップ１０１０において、全ＲＢ又はUEが割当られたか否か確認する。もしそうならば、ステップ１０１１へ進む。そうでない場合は、ブロック４０６のステップ１００２に進み、メトリックランキングを更新する。
【０１５２】
現行セルでのリソース割当及びポイント決定を完了した後、ステップ１０１１にて、現行セルが最終セルかどうか確認する。もしそうなら、ステップ１０１２へ進む。そうでない場合、ステップ１０１３へ進み、次のセルに移動し、そしてブロック４０６のステップ１００２に進み、スケジューラにより、そのセルに属するUEのメトリックを算出し、ランク付けを行う。
【０１５３】
ステップ１０１２において、スケジューラにより、各セルへのリソース割当後、調整処理を行う。各CoMP UEに対しては、もし割当ＲＢが各CoMPポイントに共通に割り当てられたRBではない場合、スケジューラにより、より低いPFメトリックを有する次のUEで、このＲＢのオーナーを置き換える。ステップ１０１２の出力は、各UEへの割当ＲＢに関する情報である。
【０１５４】
本実施例のような構成にすることにより、平均セクタースループット及びセルエッジに位置するユーザのスループット両方の改善が可能となる。
【０１５５】
＜実施例７＞
実施例７を以下にて説明する。実施例７のスケジューラ３２４について説明する。前記実施例の構成に似ている構成についての説明は省略する。
【０１５６】
スケジューラ３２４により、全UEの各リソースブロック（ＲＢ）のメトリックを算出する。非CoMP UE、例えば、セル中央近傍に位置するUEに対しては、Single Pint送信のみ用いる。即ち、N=１である。CoMP UE候補、CoMPポイントの全組合せを想定したＣＱＩを用いて、メトリックを算出する。ここでは、CoMPポイントの組合せとは、異なる数のCoMPポイントを選択することを意味する。CoMPポイント数 Nは、“１からNmax”の範囲の数値である。ここで、CoMPポイントの最大値であるNmaxは、あらかじめ決めても良い。
【０１５７】
スケジューラ３２４にて、ＲＢ毎に算出したメトリックのランク付けを行う。この算出したメトリックの中から、スケジューラ３２４により、一番高いメトリックのＲＢを見つけ出し、そして割り当てる。そして、そのOwner UEを最適UEと呼び、注目UEと見なす。
【０１５８】
注目UEがCoMP UE候補の場合、スケジューラ３２４により、この割当ＲＢのみに基づき、CoMPポイント数を暫定的に決定する。暫定的に決めたCoMPポイント数をN０と呼ぶ。
次に、スケジューラ３２４により、メトリックランキング表においてNはN０に等しくないと想定し、メトリックを削除し、そして、一番高いメトリックがNはN０に等しいと想定する以下の割当に対する未割当ＲＢを見つけ出す。そして、スケジューラ３２４により、割当ＲＢをもう一つ、注目UEに割り当て、ＲＢの一番高い正規化レートの合計に達するようにN０を調整することを試みる。ＲＢを、CoMP UE候補に１つずつ割り当てる。そして、N０を以下のように調整する。
【０１５９】
次に、スケジューラ３２４によりN０CoMPポイントを想定したＣＱＩに基づき、全割当ＲＢのT（N０）を算出する。さらに、スケジューラ３２４により、N０−１ CoMPポイントを注目UEの割当ＲＢの同期送信に用いた場合の合計レートT（N０−１）を複合ＣＱＩを用いて算出する。スケジューラ３２４により、算出したレートT（N０）とT（N０−１）を比較する。N０＞１かつレートT（N０）＜T（N０−１）の場合、スケジューラによりN０=N０−１に更新する。この処理を最大T（N０）に達するまで継続する。リソース割当とCoMPポイントの調整処理を、この注目UEに属する一番高いメトリックを有する全ＲＢが割り当てられ、CoMPポイント数も決定されるまで繰り返し継続する。そのほか、上記処理では既にCoMPポイントの組合せを想定しているので、CoMPポイントも決定する。
【０１６０】
スケジューラ３２４により、全ＲＢが割り当てられるか或いは全UEが割り当てられるまで上記のプロセスを実行する。また、ここではCoMP UE候補に対するCoMPポイントも決定してある。
【０１６１】
上記処理をセル毎に実行する。上記処理をすべてのセルで完了した後、スケジューラ３２４により、CoMP UEへのリソース割当を調整する。CoMP UEに、そのCoMPポイントから異なるＲＢが割り当てられた場合、スケジューラ３２４により、この非共通に割り当てられたＲＢに対して異なるOwner UEを調整する。非共通に割当られたＲＢをもう一つのUEにリリースするのは、１つの調整方法であり、そのUEはこのＲＢのメトリックランキング表において、割当られたUEより低いメトリックのUEでも良い。調整処理の結果、CoMP UEにCoMPポイントのＲＢを割り当てられなかった場合、スケジューラにより次のスケジューリングの機会にCoMP UEに割り当てる。
【０１６２】
本実施例の動作を以下に説明する。実施例７について、ステップ４０４におけるブロック４０６及び４０７の詳細フローチャートを図１１に示し、以下に説明する。図１１のブロック４０６には、２つのステップ、ステップ１１０１と１１０２がある。図１１のブロック４０７には、１２のステップ、ステップ１１０３から１１１４がある。
【０１６３】
ステップ１１０１において、CoMP UE候補のCoMPポイント数をN=１〜Nmaxのように初期化する。一方、他のUEでは、N=１とする。ここでは、セルインデックスは、０からスタートする。スタートセルのインデックスは任意である。
【０１６４】
次に、ステップ１１０２において、チャネル依存スケジューリング用の初期化されたN CoMPポイントを有する種々のUEのＣＱＩを用いて、メトリックの算出及びランク付けを行う。この点で、PFメトリックをMath.１にて説明している。
【０１６５】
ステップ１１０３において、スケジューラにより、まず未割当の最高ＲＢ（一番高いメトリックを有するＲＢ）を見出し、Owner UEに割り当てる。このOwner UEを最適UEとも呼ぶ。
【０１６６】
ステップ１１０４において、スケジューラにより最適UEがCoMP UE候補であるか否か確認する。もしそうなら、ステップ１１０５へ進む。そうでない場合、ステップ１１１１へ進む。
【０１６７】
ステップ１１０５において、割当ＲＢが現行CoMP UE候補への最初の割当ＲＢであることが分かった場合、ステップ１１０６へ進む。そうでない場合、ステップ１１０８へ進む。
【０１６８】
最初の割当ＲＢの場合、ステップ１１０６において一番高いメトリックに達成するN=N０を、一時的に、決定することができる。ステップ１１１１を実行する前に、ステップ１１０７において、メトリックランキング表の中の暫定的に決めたN０と等しくないNを有するUEのメトリックを削除する。
【０１６９】
ステップ１１０８において、割当ＲＢが最初のそれではない場合、スケジューラにより、全割当ＲＢのＣＱＩに基づいて、このCoMP候補が達成可能な正規化レートの合計を算出する。N及びN−１CoMPポイントをそれぞれ想定することにより、T（N）及びT（N−１）を算出する。次に、ステップ１１０９において、T（N）とT（N−１）を比較し、N＞１かつT（N）＜T（N−１）であるか否か確認する。
【０１７０】
もしそうならば、ステップ１１１０へ進み、そこでN０をN０=N０−１に減らす。そうでない場合は、ステップ１１１１へ進む。そして、N０を全割当ＲＢの一番高い正規化された合計レートを達成するように決める。ポイント決定後、ステップ１１１１において、全ＲＢ又はUEを割り当てたかどうか確認する。
【０１７１】
もしそうならば、ステップ１１１２へ進む。そうでない場合は、ブロック４０６のステップ１１０２に進み、メトリックランキングを更新する。現行セルでのリソース割当及びポイント決定を完了した後、ステップ１１１２にて、現行セルが最終セルかどうか確認する。
【０１７２】
もしそうなら、ステップ１１１３へ進む。そうでない場合、ステップ１１１４へ進み、次のセルに移動し、そしてブロック４０６のステップ１１０２に進み、そのセルに属するUEのメトリックを算出し、ランク付けを行う。ステップ１１１３において、各セルへのリソース割当後、調整処理を行う。各CoMP UEに対しては、もし割当ＲＢが各CoMPポイントに共通に割り当てられたRBではない場合、スケジューラにより、より低いPFメトリックを有する次のUEで、このＲＢのオーナーを置き換える。ステップ１１１３の出力は、各UEへの割当ＲＢに関する情報である。
【０１７３】
本実施例のような構成にすることにより、平均セクタースループット及びセルエッジに位置するユーザのスループット両方の改善が可能となる。
【０１７４】
＜実施例８＞
実施例８を以下にて説明する。実施例８のスケジューラ３２４について説明する。前記実施例の構成に似ている構成についての説明は省略する。
【０１７５】
スケジューラ３２４により、全UEの各ＲＢのメトリックを算出する。CoMP UE候補に対して、N=１と想定したＣＱＩを用いてメトリックを算出する。
【０１７６】
スケジューラ３２４により、算出メトリックをＲＢ毎にランク付けする。
【０１７７】
スケジューラ３２４にて、ＲＢ毎に算出したメトリックのランク付けを行う。この算出したメトリックの中から、スケジューラ３２４により、一番高いメトリックのＲＢを見つけ出し、そして割り当てる。そして、そのOwner UEを最適UEと呼び、注目UEとみなす。
【０１７８】
注目UEがCoMP UE候補の場合、スケジューラ３２４により、まず最初に、N=１ CoMPポイントを想定したＣＱＩに基づき、注目UEのT（N=１）を算出する。さらに、N+１ CoMPポイントが注目UEの割当ＲＢの同期送信に使われる場合、スケジューラ３２４により、複合したＣＱＩを用いて、T（N+１）を算出する。そして、スケジューラ３２４により、ＲＢをもう一つ、注目UEに割り当て、ＲＢの一番高い正規化レートの合計に達するようにN０を調整することを試みる。ＲＢを、CoMP UE候補に１つずつ割り当てる。そして、N０を以下のように調整する。スケジューラ３２４により、算出したT（N=１）とT（N+１）を比較する。T（N+１）＞T（N）の場合、スケジューラにより、NをN=N+１に増加する。この反復プロセスを、最大T（N０）が達成されるまで続ける。それ故、CoMPポイント数は、一時的にN=N０と決める。次に、スケジューラ３２４により、注目UEにメトリックN=N０を用い、メトリックランキング表を更新し、そして注目UEに属する一番高いメトリックを有する未割当ＲＢを見つけ出す。そして、スケジューラ３２４により、ＲＢをもう一つ、注目UEに割り当て、割当ＲＢの一番高い正規化レートの合計に達成するようにN０を調整することを試みる。ＲＢを、CoMP UE候補に１つずつ割り当てる。そして、N０を以下のように調整する。
【０１７９】
次に、スケジューラ３２４によりN０ CoMPポイントを想定したＣＱＩに基づき割当ＲＢのT（N０）を算出する。さらに、スケジューラ３２４により、N０−１CoMPポイントを注目UEの割当ＲＢの同期送信に用いた場合の複合ＣＱＩを用いて算出する。スケジューラ３２４により、算出したT（N０）とT（N０−１）を比較する。N０＞１かつT（N０）＜T（N０−１）の場合、スケジューラによりN０=N０−１に更新する。この処理を一番高い正規化レートの合計に達するまで継続する。リソース割当とCoMPポイントの調整処理を、この注目UEに属する一番高いメトリックを有する全ＲＢが割り当てられ、CoMPポイント数も決定されるまで継続する。そのほか、上記処理では既にCoMPポイントの組合せを想定しているので、CoMPポイントも決定する。
【０１８０】
スケジューラ３２４により、全ＲＢが割り当てられるか或いは全UEが割り当てられるまで上記処理を実行する。また、ここではCoMP UE候補においてCoMPポイントも決定してある。
【０１８１】
上記処理をセル毎に実行する。上記処理をすべてのセルで完了した後、スケジューラ３２４により、CoMP UEへのリソース割当を調整する。CoMP UEに、そのCoMPポイントから異なるＲＢが割り当てられた場合、スケジューラ３２４により、この非共通に割り当てられたＲＢに対して異なるOwner UEを調整する。非共通に割当られたＲＢをもう一つのUEにリリースするのは、１つの調整方法であり、そのUEはこのＲＢのメトリックランキング表において、割当られたUEより低いメトリックのUEでも良い。調整処理の結果、CoMP UEにCoMPポイントのＲＢを割り当てなかった場合、スケジューラにより次のスケジューリングの機会にCoMP UEに割り当てる。
【０１８２】
本実施例の動作を以下に説明する。実施例８について、ステップ４０４におけるブロック４０６及び４０７の詳細フローチャートを図１２に示し、以下に説明する。図１２のブロック４０６には、２つのステップ、ステップ１２０１と１２０２がある。図１２のブロック４０７には、１３のステップ、ステップ１２０３から１１１５がある。
【０１８３】
ステップ１２０１において、CoMP UE候補のCoMPポイント数をN=１のように初期化する。そして、セルインデックスは、０からスタートする。スタートセルのインデックスは任意である。
【０１８４】
次に、ステップ１２０２において、チャネル依存スケジューリング用の初期化されたN=１ CoMPポイントを有する各種UEのＣＱＩを用いて、メトリックの算出及びランク付けを行う。この点で、PFメトリックをMath.１にて説明している。。
【０１８５】
ステップ１２０３において、スケジューラにより、最高ＲＢ（一番高いPFを有するＲＢ）を見出して、Owner UEに割り当てる。このOwner UEを最適UEとも呼ぶ。
【０１８６】
ステップ１２０４において、スケジューラにより最適UEがCoMP UE候補であるか否か確認する。もしそうなら、ステップ１２０５へ進む。そうでない場合、ステップ１２１３へ進む。
【０１８７】
ステップ１２０５において、割当ＲＢが現行CoMP UE候補への最初の割当ＲＢであることが分かった場合、ステップ１２０６へ進む。そうでない場合、ステップ１２１０へ進む。
【０１８８】
ステップ１２０６において、最初の割当ＲＢの場合、スケジューラにより、この最初の割当ＲＢのＣＱＩに基いて、このCoMP候補が達成可能な正規化レートの合計を算出する。N及びN+１ CoMPポイントをそれぞれ想定することにより、T（N）及びT（N+１）を算出する。次に、ステップ１２０９において、T（N）とT（N+１）を比較し、N＜NMAXかつT（N+１）＞T（N）であるか否か確認する。もしそうならば、ステップ１２０８へ進み、そこでNをN=N+１に増加する。そうでない場合は、ステップ１２０９において、Nを一時的にN０と決定する。
【０１８９】
割当ＲＢが最初のそれではない場合、ステップ１２１０において、全割当ＲＢのＣＱＩに基いて、このCoMP候補の達成可能な正規化された合計レートを算出する。N０及びN０−１CoMPポイントをそれぞれ想定することにより、T（N０）及びT（N０−１）を算出する。次に、ステップ１２１１において、T（N０）とT（N０−１）を比較し、N０＞１かつT（N０）＜T（N０−１）であるか否か確認する。もしそうならば、ステップ１２１２へ進み、そこでN０をN０=N０−１に減少させる。そうでない場合は、ステップ１２１３に進む。
【０１９０】
このようにして、CoMPポイント数を決定する。リソース割当のみならずポイント決定の後、ステップ１２１３において、全ＲＢ或いUEが割り当てられているかどうか確認する。もしそうならば、ステップ１２１４へ進む。そうでない場合は、ブロック４０６のステップ１２０２へ進み、メトリックランキングを更新する。現在処理中のセルでのリソース割当及びポイント決定を完了した後、ステップ１２１４にて、現行セルが最終セルかどうか確認する。
【０１９１】
もしそうなら、ステップ１２１５へ進む。そうでない場合、ステップ１２１６へ進み、次のセルに移動し、そしてブロック４０６のステップ１２０２に進み、そのセルに属するUEのメトリックを算出し、ランク付けを行う。ステップ１２１５において、各セルへのリソース割当後、調整処理を行う。各CoMP UEに対しては、もし割当ＲＢが各CoMPポイントに共通に割り当てられたRBではない場合、スケジューラにより、より低いメトリックを有する次のUEで、このＲＢのオーナーを置き換える。ステップ１２１５の出力は、各UEへの割当ＲＢに関する情報である。
【０１９２】
本実施例のような構成にすることにより、平均セクタースループット及びセルエッジに位置するユーザースループット両方の改善が可能となる。
【０１９３】
＜実施例９＞
実施例９のスケジューラ３２４について説明する。前記実施例の構成に似ている構成についての説明は省略する。
【０１９４】
スケジューラ３２４により、CoMPポイント数が、単純に、単一ポイントとして初期化されたと想定して、UEの各ＲＢのメトリックを算出する。即ち、CoMP UE候補に対して、N=Nmax（Nmax: CoMP ポイント数の最大値）とし、他の非CoMP UEに対してはN＝１とする。
【０１９５】
スケジューラ３２４により、各ＲＢにおける全UEのメトリックを算出し、ＲＢ毎にメトリックのランク付けを行う。
【０１９６】
割当ＲＢの中から、スケジューラ３２４により、一番高いメトリックを有するＲＢを見出し、割り当てる。そして、そのOwner UEを、最適UEと呼び、注目UEと見なす。
【０１９７】
注目UEがCoMP UE候補の場合、スケジューラ３２４により、Nmax CoMPポイントを想定したＣＱＩに基づき、注目UEのT（N=Nmax）を算出する。さらに、N−１ CoMPポイントが注目UEの割当ＲＢの同期送信に使われる場合、スケジューラ３２４により、複合ＣＱＩを用いて、T（N−１）を算出する。スケジューラ３２４により、算出したT（N=１）とT（N−１）を比較する。N＞１かつT（N）＜T（N−１）の場合、スケジューラにより、N=N−１を更新する。このプロセスを、最大T（N０）が達成されるまで続ける。それ故、Nは、一時的にN０と決める。次に、スケジューラ３２４により、注目UEにメトリックN=N０を用い、メトリックランキング表を更新し、そして注目UEに属する最高メトリックを有する未割当ＲＢを見つけ出す。そして、スケジューラ３２４により、ＲＢをもう一つ、注目UEに割り当て、割当ＲＢの一番高い正規化された合計レートを達成するようにN０を調整することを試みる。ＲＢを、CoMP UE候補に１つずつ割り当てる。そして、N０を以下のように調整する。
【０１９８】
次に、スケジューラ３２４によりN０ CoMPポイントを想定したＣＱＩに基づき、割当ＲＢのT（N０）を算出する。さらに、スケジューラ３２４により、注目UEの割当ＲＢの同期送信にN０−１ CoMPポイント用いる場合、複合ＣＱＩを用いてT（N０−１）を算出する。スケジューラ３２４により、算出したレートT（N０）とT（N０−１）を比較する。N０＞１かつT（N０）＜T（N０−１）の場合、スケジューラによりN０=N０−１に更新する。このプロセスを、一番高い正規化レートの合計に達するまで継続する。リソース割当とCoMPポイントの調整処理をを、この注目UEに属する一番瓦解メトリックを有する全ＲＢが割り当てられ、CoMPポイント数も決定されるまで継続する。そのほか、上記処理では既にCoMPポイントの組合せを想定しているので、CoMPポイントも決定する。
【０１９９】
CoMPポイントを決定したのち、スケジューラ３２４により、注目UEのN０と同等ではないNのメトリックを有する割当ＲＢをリリースする。加えるに、注目UEのメトリックを削除する或いは、メトリックをN=N０として算出することにより、メトリックランキングを更新する。
【０２００】
スケジューラ３２４により、全ＲＢが割り当てられるか或いは全UEが割り当てられるまで上記処理を実行する。また、ここではCoMP UE候補にもそのCoMPポイントを決定してある。
【０２０１】
上記処理をセル毎に実行する。上記処理をすべてのセルで完了した後、スケジューラ３２４により、CoMP UEへのリソース割当を調整する。CoMP UEに、そのCoMPポイントとは異なるＲＢが割り当てられた場合、スケジューラ３２４により、この非共通に割り当てられたＲＢに対して異なるOwner UEに調整する。非共通に割当られたＲＢをもう一つのUEにリリースするのは、１つのコ処理方法であり、そのUEはこのＲＢのメトリックランキング表において、割当られたUEより低いメトリックのUEでも良い。調整処理の結果、CoMP UEにCoMPポイントのＲＢを割り当てなかった場合、スケジューラにより次のスケジューリングの機会にCoMP UEに割り当てる。
【０２０２】
本実施例の動作を以下に説明する。実施例９について、ステップ４０４におけるブロック４０６及び４０７の詳細フローチャートを図１３に示し、以下に説明する。
【０２０３】
ステップ１３０１において、CoMPポイント数をN=Nmaxとして初期化し、セルインデックスを０から始める。次に、ステップ１３０２において、メトリック算出及びランク付けは、チャネル依存スケジューリング用初期化N=Nmax CoMPポイントを想定したＣＱＩを用いて実行する。ここで、PFメトリックをMath.１にて説明する。
【０２０４】
図１３のブロック４０７において、ステップ１３０３では、最高ＲＢ（一番高いPFを有するＲＢ）を見出して、Owner UEに割り当てる。このOwner UEを最適UEとも呼ぶ。
【０２０５】
ステップ１３０４において、スケジューラにより、最適UEがCoMP UE候補であるか否か確認する。もしそうなら、ステップ１３０５へ進む。そうでない場合、ステップ１３１３へ進む。
【０２０６】
ステップ１３０５において、割当ＲＢが現行CoMP UE候補への最初の割当ＲＢであることが分かった場合、ステップ１３０６へ進む。そうでない場合、ステップ１３１０へ進む。
【０２０７】
ステップ１３０６において、最初の割当ＲＢの場合、スケジューラにより、この最初の割当ＲＢのＣＱＩに基いて、このCoMP候補の達成可能な正規化レートの合計を算出する。N及びN−１ CoMPポイントをそれぞれ想定することにより、T（N）及びT（N−１）を算出する。次に、ステップ１３０７において、T（N）とT（N−１）を比較し、N＞１かつT（N）＜T（N−１）であるか否か確認する。もしそうならば、ステップ１２０８へ進み、そこでNをN=N−１に減少する。そうでない場合は、ステップ１３０９において、Nを一時的にN０と決定する。
【０２０８】
割当ＲＢが最初のそれではない場合、ステップ１３１０において、全割当ＲＢのＣＱＩに基いて、このCoMP候補の達成可能な正規化された合計レートを算出する。N０及びN０−１CoMPポイントをそれぞれ想定することにより、T（N０）及びT（N０−１）を算出する。次に、ステップ１３１１において、T（N０）とT（N０−１）を比較し、N０＞１かつT（N０）＜T（N０−１）であるか否か確認する。もしそうならば、ステップ１３１２へ進み、そこでN０をN０=N０−１に減少させる。そうでない場合は、ステップ１３１３に進む。
【０２０９】
このようにして、CoMPポイントを決定する。リソース割当のみならずポイント決定の後、ステップ１３１３において、全ＲＢ或いUEが割り当てられているかどうか確認する。もしそうならば、ステップ１３１４へ進む。そうでない場合は、ブロック４０６のステップ１３０２へ進み、メトリックランキングを更新する。現在処理中のセルでのリソース割当及びポイント決定を完了した後、ステップ１３１４にて、現行セルが最終セルかどうか確認する。
【０２１０】
もしそうなら、ステップ１３１５へ進む。そうでない場合、ステップ１３１６へ進み、次のセルに移動し、そしてブロック４０６のステップ１３０２に進み、そのセルに属するUEのメトリックを算出し、ランク付けを行う。ステップ１３１５において、各セルへのリソース割当後、調整処理を行う。各CoMP UEに対しては、もし割当ＲＢが各CoMPポイントに共通に割り当てられたRBではない場合、スケジューラにより、次に低いメトリックを有するUEに、このＲＢのOwner UEを置き換える。ステップ１３１５の出力は、各UEへの割当ＲＢに関する情報である。
【０２１１】
本実施例のような構成にすることにより、平均セクタースループット及びセルエッジに位置するユーザのスループット両方の改善が可能となる。
【０２１２】
実施例１〜９については、図４のフローチャートにあるステップ４０２を、２つの異なる方法で実行することができる。簡単な方法は、図３の３００にて説明してあるように、従来方法のステップ２ ３０２と同じようにステップ４０２を用いることである。この場合、サービングセルは、最大のRSRPを有するセルと定義される（非特許文献１）。この場合、ステップ４０２では、ステップ４０１の結果のみ用いて、ジオメトリ、RSRP或いはRSRQによるセルランキングを得る。サービングセルを、常にCoMPポイントとして選択する。
【０２１３】
もう一つの方法は、従来方法とは異なるもので、つまり、図４のステップ４０２とステップ４０４の結果を用いて先に割り当てた結果を用いて、動的にセルランキングを更新するものである。先のサブフレームでのスケジューリング結果は、現行サブフレームにおけるセルランキングを更新するのに必要である。サービングセルの一時的な受信品質が悪化する場合、サービングセルを現行CoMP統合送信のCoMPポイントとして選択しなくてもよい。そのため、サービングセルを必ずしもCoMPポイントには選択しない。
【０２１４】
上記については、通信方式が３GPPのLTEである場合を用いて説明したが、通信方式はこれに限定されず、WiMAXや無線通信システムなどでもよい。
【０２１５】
さらに、上記はスケジューラにより、PFメトリック算出によるランク付けするケースである。これに限定されることなく、スケジューラにより、QoS、受信ＣＱＩ或いはスペクトル効率などを用いてランク付けをすることができる。
【０２１６】
さらに、上記ではeNodeBにおいてCoMPポイントを決定する構成を用いて説明したが、これに限定されることなく、調整処理は必要な全情報を受信し実行することができる。
【０２１７】
さらに、CoMPポイントの決定処理により、スケジューリングの度ごとに、あるいは事前に決めた間隔でCoMPポイントを決定することができる。
【０２１８】
本発明は、上りリンクにも下りリンクにも適用可能である。
【図１】
0005447893.tif 000008
【図２】
0005447893.tif 000009
【図３】
0005447893.tif 000010
【図４】
0005447893.tif 000011
【図５】
0005447893.tif 000012
【図６】
0005447893.tif 000013
【図７】
0005447893.tif 000014
【図８】
0005447893.tif 000015
【図９】
0005447893.tif 000016
【図１０】
0005447893.tif 000017
【図１１】
0005447893.tif 000018
【図１２】
0005447893.tif 000019
【図１３】
0005447893.tif 000020